(57)【要約】【課題】  最終頁の排出後に行う装置初期化動作による排紙ローラの逆転動作時に原稿後端の巻き込みを防止する反転式両面読み取り用原稿搬送装置および画像読み取り装置を提供する。【解決手段】  片面読み取り後の原稿１先端をスイッチバックするための反転部２２に案内するか排出スタック部１７へ案内するかを切り換える分岐板１９と、この分岐板１９の上流部に位置し反転部２２への搬送および排紙動作を行う排紙ローラ１０を具備する反転式両面読み取り用原稿搬送装置において、一連の読み取り動作終了もしくは中止時に最終頁の排出後に行う装置初期化動作による前記排紙ローラ１０の逆転動作時に、逆転時の巻き込みを防止するために排出スタック部１７側へ案内すべく位置していた前記分岐板１９を反転部２２へ案内する位置に切り換える。【選択図】        図１
2005086217.tif 000002
【特許請求の範囲】
【請求項１】
片面読み取り後の原稿先端をスイッチバックするための反転部に案内するか排出スタック部へ案内するかを切り換える分岐板と、この分岐板の上流部に位置し反転部への搬送および排紙動作を行う排紙ローラを具備する反転式両面読み取り用原稿搬送装置において、一連の読み取り動作終了もしくは中止時に最終頁の排出後に行う装置初期化動作による前記排紙ローラの逆転動作時に、逆転時の巻き込みを防止するために排出スタック部側へ案内すべく位置していた前記分岐板を反転部へ案内する位置に切り換えることを特徴とする反転式両面読み取り用原稿搬送装置。
【請求項２】
前記分岐板に排紙原稿の巻き込み防止機能を持たせたことを特徴とする請求項１記載の反転式両面読み取り用原稿搬送装置。
【請求項３】
前記分岐板を反転部へ案内する位置に切り換えている時間を装置初期化開始より早く行い、初期化終了後に元に戻しかつ、前記排紙ローラと分岐板先端を互い違いに配置することを特徴とする請求項１記載の反転式両面読み取り用原稿搬送装置。
【請求項４】
請求項１ないし４のいずれか１項記載の反転式両面読み取り用原稿搬送装置を備えたことを特徴とする画像読み取り装置。
【発明の詳細な説明】
【技術分野】
【０００１】
本発明は、原稿を分離搬送する画像読み取り装置において使用する両面搬送装置および画像読み取り装置に関するものである。
【背景技術】
【０００２】
画像読み取り装置に使用する両面読み取り搬送装置は従来から知られており（例えば、特許文献１および２参照）、原稿分離搬送における原稿巻き込み防止機構も知られている（例えば、特許文献３参照）。
【特許文献１】特開２００３−２５４６公報
【特許文献２】特開２０００−３１３５４８公報
【特許文献３】特開平１１−２５５３９３号公報
【発明の開示】
【発明が解決しようとする課題】
【０００３】
しかしながら、従来のシートスルー方式の分離搬送装置においては、原稿搬送後の排出スタック部への排出動作後に装置の初期化動作のために駆動機構に逆転動作を行わせる必要がある。
この場合、原稿の排出が不完全状態（排紙ローラ近傍に原稿残りがある）のまま逆転動作を行うと、排出紙の後端が排紙ローラにて装置搬送経路内に巻き戻され、ユーザーがスタック原稿を取り出すさいに不都合が生じる。
このような不具合に対処するための従来技術としては、排出ローラ部に原稿の吐き出しを促す凸形状を有するローラを用いたり、特許文献３に開示されるように、巻き込み防止用のマイラ部材を設置したりしている。
しかしながらローラの凸形状のみでは原稿の端部の状態変化などや、巻き込み防止マイラは原稿排出時の障害物になるため、薄手（やわらかく、弾性が必要）にせざるを得ないため変形などで完全な対策とならない場合がある。
そこで本発明の目的は、上記の問題点を解決するために、最終頁の排出後に行う装置初期化動作による排紙ローラの逆転動作時に原稿後端の巻き込みを防止する両面搬送読み取り装置および画像読み取り装置を提供することにある。
【課題を解決するための手段】
【０００４】
前記の課題を解決するために、請求項１記載の発明では、片面読み取り後の原稿先端をスイッチバックするための反転部に案内するか排出スタック部へ案内するかを切り換える分岐板と、この分岐板の上流部に位置し反転部への搬送および排紙動作を行う排紙ローラを具備する反転式両面読み取り用原稿搬送装置において、一連の読み取り動作終了もしくは中止時に最終頁の排出後に行う装置初期化動作による前記排紙ローラの逆転動作時に、逆転時の巻き込みを防止するために排出スタック部側へ案内すべく位置していた前記分岐板を反転部へ案内する位置に切り換える反転式両面読み取り用原稿搬送装置を最も主要な特徴とする。
請求項２記載の発明では、前記分岐板に排紙原稿の巻き込み防止機能を持たせた請求項１記載の反転式両面読み取り用原稿搬送装置を主要な特徴とする。
請求項３記載の発明では、前記分岐板を反転部へ案内する位置に切り換えている時間を装置初期化開始より早く行い、初期化終了後に元に戻しかつ、前記排紙ローラと分岐板先端を互い違いに配置する請求項１記載の反転式両面読み取り用原稿搬送装置を主要な特徴とする。
請求項４記載の発明では、請求項１ないし４のいずれか１項記載の反転式両面読み取り用原稿搬送装置を備えた画像読み取り装置を最も主要な特徴とする。
【発明の効果】
【０００５】
請求項１によれば、より確実な排紙原稿の巻き込み防止が行える。
請求項２によれば、巻き込み防止機能のため新たに部品を追加することなくかつ、従来の巻き込み防止のためのマイラ等を削減できる。
請求項３によれば、分岐板先端を排紙ローラコロ外径にオーバーラップさせかつ切り換え状態を装置初期化動作終了まで維持することにより、排出原稿後端が排紙ローラ部に巻き込まれる余地を完全になくすことができる。
請求項４によれば、より確実な排紙原稿の巻き込み防止が行える画像読み取り装置を提供することができる。
【発明を実施するための最良の形態】
【０００６】
以下、図面により本発明の実施の形態を詳細に説明する。図１は両面読み取り分離搬送装置の搬送経路全体図を示す概略図である。図１において、両面読み取り分離搬送装置は、これから分離・搬送される原稿束１、その原稿束１がセットされる原稿台２を含んでいる。
原稿分離部はピックアップローラ３、フィードローラ４とリバースローラ５で構成される。ピックアップローラ３はフィードローラ４軸を回転支点とし、待機状態では原稿束２をセットできるように破線で示される上部（３ａの位置）へ持ち上がった状態を維持している。
搬送開始命令によりピックアップローラ３はセットされた原稿束１に当接し搬送力を与えるために破線の状態から実線の状態（３ｂの位置）に下降する。この上昇および下降はフィードローラ４の駆動時のフリクションにて行う。つまりピックアップローラ３の下降はフィードローラ４の正転にて、上昇は逆転にて行われる。
フィードローラ４とリバースローラ５にて分離された原稿束１の最上紙は１対のプルアウトローラ６により第１ガイド１４を介してＲ１ローラ部８に搬送され第２ガイド１５を介してスキャナ部１２に搬送され読み取りが行われる。スキャナ部１２を通過した原稿はＲ２ローラ部９により第３ガイド１６を介して排出ローラ１０へ搬送される。
排出ローラ１０の先には読み取り終了後そのまま排紙する場合と、裏面読み取りに向かうための反転経路への案内を切り換える、原稿搬送経路の切り換え機能を有する分岐板１９がある。
【０００７】
この分岐板１９は、排紙させる場合には破線の状態（１９ａ）に、そして反転経路へ案内する場合には実線の状態（１９ｂ）に切り換わる。排紙ローラ１０には対抗コロが上下２対で構成され、排紙コロ１１が排紙および反転経路への搬送を行う。
したがって、読み取り後にそのまま排出される場合には分岐板１９は破線の状態に位置することにより、原稿先端が排紙ローラ１０および排紙コロ１１により装置外へ搬送され原稿後端が排紙ローラ１０を抜けるとそのまま自重にてスタック部１７に落下する。１８は排紙が完了した排紙原稿束である。
両面読み取りの場合は分岐板１９が実線の状態で待機していることにより排紙ローラ１０および排紙コロ１１にて反転ローラ部２０に搬送され、反転トレイ２１上に載る。
原稿後端が排紙ローラ１０を抜けると各ローラはいったん停止し、そのときに分岐板１９は原稿後端を反転経路に案内するため、破線の位置に上昇する。
次に停止していた反転ローラ２０は先ほどまでの回転方向と逆方向に回転し排紙ローラ１０および中継コロ１２のニップに原稿後端を搬送する。
排紙ローラ１０および中継コロ１２にて搬送される原稿は反転ガイド２２および中間ローラ部２３を介して再度、Ｒ１ローラ部８へ搬送され、表面同様に裏面も読み取り処理が行われる。
スキャナ部１２を通過した原稿は再度排紙ローラ１０および排紙コロ１１のニップへ到達するが、両面の読み取りが終了しているため、分岐板１９はそのまま破線の状態を維持することにより、原稿はそのままスタック部１７に排出される。
【０００８】
図２は原稿の両面読み取り流れを説明している第１の動作を示す流れ図である。図３は原稿の両面読み取り流れを説明している第２の動作を示す流れ図である。図４は原稿の両面読み取り流れを説明している第３の動作を示す流れ図である。
表面読み取り中の図２ないし図４において、分岐板１９は原稿を反転経路へ案内するために１９ｂの位置へ下降する。分岐板１９は１９ｂの位置にて反転トレイ２１へ案内し、反転トレイ２１においていったん停止し、図４におけるように、分岐板１９は１９ａの位置へ上昇する。
図５は原稿の両面読み取り流れを説明している第４の動作を示す流れ図である。図６は原稿の両面読み取り流れを説明している第５の動作を示す流れ図である。
反転経路を経由し裏面読み取りの場合に、分岐板１９は１９ａの位置へ上昇したまま原稿を案内し、裏面読み取り後は分岐板１９が１９ａの位置へ上昇のまま案内されるので原稿はスタック部１７へ排出される。
図２ないし図６において、読み取り原稿１は太い実線で示され、搬送経路は細い破線で示している。なお、各ローラの搬送駆動源は反転ローラ２０のみ正逆両回転が必要で、他の各ローラは全て原稿搬送中（初期化動作を除く）は一方向の回転のみのため、反転ローラ用モータ（図示せず）およびそれ以外のローラ用モータ（図示せず）の２モータ構成にて動作する。
図７は分岐板の上下動機構を説明する概略図である。図７に示す通り、分岐板１９の上下動は分岐板１９の回動支点部から、リンク２７を介してブランジャ式ソレノイド２５に接続されていて、そのソレノイド２５に通電することによりプランジャ２６を２６ｂの位置に引き込む。
無通電状態（待機状態）ではリンク２７に取り付けてある引っ張りばね２８によってプランジャ２６は２６ａ（破線）の位置に引き出された状態を維持している。
したがって、分岐板１９は通常（待機状態）では上昇位置である１９ａの位置にあり、必要に応じてソレノイド２５に通電することにより、１９ｂの位置に引き下げることができる。
以上の流れにより読み取り処理を全て終了し排出動作が完了すると、本装置は初期化動作、具体的には原稿搬送中に３ａの位置に下降していたピックアップローラ３を原稿セットが可能なように３ｂの位置まで上昇させなければならない。
【０００９】
図８は原稿後端の巻き込みを説明する概略図である。図９は原稿後端の排紙ローラおよび排紙コロのニップ部巻き込みを説明する概略図である。ピックアップローラ３を原稿１がセット可能な３ｂの位置まで上昇させる動作は、前記の通り、フィードローラ４の逆転により行われるため、フィードローラ４と同一駆動源を有する排紙ローラ１０も同期して逆転してしまう。
そのときに、原稿１後端が排紙ローラ１０および排紙コロ１１の近傍に残っていると（図８の状態）、そのニップ部に入り込んでしまい（巻き込み）、ユーザーがスタック原稿１８を取り出すさいに不都合が生じる（図９）。
本発明によれば、以下の方法で原稿１後端の巻き込みを防止する。すなわち、原稿１の（両面）読み取り→排出までの一連動作は上記と同一で、最終頁の排出動作が完了すると、初期化動作の前に１９ａの位置にある分岐板１９を１９ｂに下降させる。
その状態にて装置を逆転駆動させ、初期化動作（ピックアップローラ３を３ｂの位置に上昇させる）を完了させ、その後分岐板１９を１９ａの位置に戻し、すべての動作を終了とする。
この動作を追加することにより、たとえ図８のように原稿１後端が排紙ローラ１０および排紙コロ１１の近傍に残っていたとしても、分岐板１９を下降させることにより原稿１の後端を叩き落とし、かつ、分岐板１９がストッパとなって、排出原稿１後端がニップに入り込むことが不可能になる。
【００１０】
図１０は分岐板の先端と排紙コロの相対位置関係を示す概略図である。図１１は図１０のＡ方向から見た平面図である。上述した動作をさせるにあたり、分岐板１９の先端と排紙コロ１１の相対位置関係は図１０のように排紙コロ１１外径に、分岐板１９先端がオーバーラップ（ハッチング領域）するようにする。
これは、Ａの方向から見た図１１にあるように、すなわち、コロ外径内に分岐板先端をオーバーラップするように、排紙コロ１１の玉に対し、その両側に分岐板１９の先端凸部１９ｃを設けることにより原稿１が排紙ローラ１０と排紙コロ１１のニップ部に戻ることを防ぐことが可能になる。
つまり、分岐板１９を反転部へ案内する位置に切り換えている時間を装置初期化開始より早く行い、初期化終了後に元に戻しかつ、前記排紙ローラと分岐板先端を互い違いに配置する。換言すれば、分岐板先端を排紙ローラコロ外径にオーバーラップさせかつ切り換え状態を装置初期化動作終了まで維持することにより、排出原稿後端が排紙ローラ部に巻き込まれる余地を完全になくすことができる。
【００１１】
本発明によれば、反転式両面読み取り用原稿搬送装置は原稿セット部と原稿分離部と原稿印字面読み取り部と片面読み取り後の原稿先端をスイッチバックするための反転部に案内するかまたは排出スタック部へ案内するか切り換える分岐板と、この分岐板の上流部に位置し反転部への搬送および排紙動作を行う排紙ローラを具備している。
この反転式両面読み取り用原稿搬送装置は一連の読み取り動作終了もしくは中止時に、最終頁の排出後に行う装置初期化動作による排紙ローラの逆転動作時に排紙スタック部側へ案内すべく位置していた前記分岐板を反転部へ案内する位置に切り換え、原稿後端を叩き落とし、逆転時の巻き込みを防止するように構成されている。
以上のように、本発明では分岐板を用いて反転搬送を行う両面原稿搬送装置に、新たな追加機構・部品を用いることなくワンアクションの制御の追加のみで、本来搬送経路を切り換えるための分岐板に原稿後端巻き込み防止機能という付加価値を持たせることができる。
また同時に、従来用いていた様々な（排出を確実に行うために排紙コロ軸上にスポンジ材等で形成されるギヤ形状の吐き出しコロや、排紙ローラへの巻き込みを防ぐためのマイラ等）巻き込み防止部品をすべて廃止することができ、コストダウンを図ることができる。
【図面の簡単な説明】
【００１２】
【図１】両面読み取り分離搬送装置の搬送経路全体図を示す概略図。
【図２】原稿の両面読み取り流れを説明している第１の動作の説明図。
【図３】原稿の両面読み取り流れを説明している第２の動作の説明図。
【図４】原稿の両面読み取り流れを説明している第３の動作の説明図。
【図５】原稿の両面読み取り流れを説明している第４の動作の説明図。
【図６】原稿の両面読み取り流れを説明している第５の動作の説明図。
【図７】分岐板の上下動機構を説明する概略図。
【図８】原稿後端の巻き込みを説明する概略図。
【図９】原稿後端の排紙ローラおよび排紙コロのニップ部巻き込みを説明する概略図。
【図１０】分岐板の先端と排紙コロの相対位置関係を示す概略図。
【図１１】図１０のＡ方向から見た平面図。
【符号の説明】
【００１３】
１  原稿、２  原稿台（原稿セット部）、１０  排紙ローラ、１７  排出スタック部、１９  分岐板、２２  反転部（反転ガイド）
【図１】
2005086217.tif 000003
【図２】
2005086217.tif 000004
【図３】
2005086217.tif 000005
【図４】
2005086217.tif 000006
【図５】
2005086217.tif 000007
【図６】
2005086217.tif 000008
【図７】
2005086217.tif 000009
【図８】
2005086217.tif 000010
【図９】
2005086217.tif 000011
【図１０】
2005086217.tif 000012
【図１１】
2005086217.tif 000013